(57)【特許請求の範囲】
【請求項１】
１本あるいは２本以上のケーブルを束縛／解放するためのクランプバ
ンド部と、このクランプバンド部の基端を一体的に支持する基台部とを備え、上記ケーブルの取り付け面に対して上記基台部を対面させつつ、その取り付け面に設けられた貫通孔を介して装着固定されるケーブルクランプであって、
上記取り付け面に対する上記基台部の対面側には、上記貫通孔に差し込み、この貫通孔の一方縁に係合させる部分として、上記クランプバンド部の基端から連続しつつ斜めに延出する形状の斜挿部が一体形成されているとともに、上記基台部における上記斜挿部の基端周辺には、基台部の厚み方向に貫通する開口が設けられており、上記取り付け面に対する上記基台部の対面側には、上記貫通孔に差し込み、この貫通孔の他方縁に係合させる部分としての係合突起部が一体形成されていることを特徴とする、ケーブルクランプ。
【請求項２】
上記斜挿部は、その複数が上記係合突起部の両隣に位置するように設けられている、請求項１に記載のケーブルクランプ。
【請求項３】
上記係合突起部は、その複数が上記斜挿部の両隣に位置するように設けられている、請求項２に記載のケーブルクランプ。
【請求項４】
上記クランプバンド部の基端付近には、上記斜挿部と上記係合突起部との境界線上に沿ってスリットが設けられている、請求項１ないし請求項３のいずれかに記載のケーブルクランプ。
【請求項５】
上記クランプバンド部の先端には、係合爪が設けられているとともに、そのクランプバンド部を支持する基台部の支持面側には、上記係合爪を掛け止めるためのロック部が設けられている、請求項１ないし請求項４のいずれかに記載のケーブルクランプ。
【発明の詳細な説明】
【０００１】
【発明の属する技術分野】
本願発明は、たとえば電源ケーブルや信号線ケーブルなどを取り付け面に添えて取り付け固定するためのケーブルクランプに関する。
【０００２】
【従来の技術】
たとえば、コンピュータ本体やその周辺機器などの筐体ケース内には、電源ケーブルや信号線ケーブルなどが引き回されており、これらのケーブルをすっきりとまとめるためにケーブルクランプが用いられる。
【０００３】
図１２〜図１５は、従来例にかかるケーブルクランプの各形態を示した図であって、各図に示すケーブルクランプＸ１〜Ｘ４は、複数本のケーブルＣ…を束ねるためのバンド部１００〜４００を有する点で共通する。
【０００４】
それぞれに特有の構成として、図１２に示すケーブルクランプＸ１は、バンド部１００の基端を支持する基台部１１０を備えるとともに、バンド部１００の先端に係合爪１００ａを有し、上記基台部１１０の表面側に上記係合爪１００ａを掛け止めるためのロック部１２０を有している。そして、このケーブルクランプＸ１では、上記基台部１１０の裏面が両面テープ１３０を介して筐体ケースなどの取り付け面Ｓに固定される粘着固定方式が採用されている。
【０００５】
図１３に示すケーブルクランプＸ２は、バンド部２００を支持する基台部２１０が中空部分２１０ａを有する円筒型とされる。バンド部２００の先端には、上記基台部２１０の中空部分２１０ａに嵌め合い可能な嵌合爪２００ａが設けられる一方、基台部２１０の裏面側には、取り付け面Ｓの貫通孔Ｓ１に挿入して嵌め合い可能な挿入爪２１０ｂが設けられている。つまり、このケーブルクランプＸ２は、上記貫通孔Ｓ１に基台部２１０の挿入爪２１０ｂを押し入れつつ、基台部２１０の中空部分２１０ａにバンド部２００先端の嵌合爪２００ａを押し入れるようにして固定する圧入固定方式としたものである。
【０００６】
図１４に示すケーブルクランプＸ３は、図１２に示すクランプＸ１とほぼ同様の構成を有するが、基台部３１０の裏面側に挿入爪３３０を設けたものである。つまり、このケーブルクランプＸ３は、取り付け面Ｓの貫通孔Ｓ１に挿入爪３３０を押し入れることにより、取り付け面Ｓに対して基台部３１０が固定される方式（はめ込み固定方式）としたものであり、固定方式としては図１３に示す方式とよく似ている。
【０００７】
図１５に示すケーブルクランプＸ４は、最も単純な形態を有するものであり、バンド部４００の基端４００ａおよび先端４００ｂが互いに平行するように形成されている。そして、このケーブルクランプＸ４では、バンド部４００の基端４００ａおよび先端４００ｂが取り付け面Ｓに対して水平に重ね合わされた状態で、これらの両端４００ａ，４００ｂにネジＳｃを貫通させつつ取り付け面Ｓのネジ穴Ｓ２を介して締め付け固定される方式（ネジ止め固定方式）が採用されている。
【０００８】
【発明が解決しようとする課題】
ところで、最近においては、コンピュータ本体や周辺機器などに限らず、環境問題などの点から再利用を図るためにパーツが取り外されることがある。そのため、ケーブルを束ねていたケーブルクランプも、ケーブルの取り外しに際して筐体ケース内側の取り付け面から切り離す必要があり、その脱着容易性が重要視されている。
【０００９】
このような脱着容易性を考慮すると、図１２に示すケーブルクランプＸ１では、筐体ケース内側の取り付け面Ｓから引き剥がす必要があり、引き剥がした後に両面テープ１３０の糊部分が取り付け面Ｓに残ることもあって糊抜き処理が必要とされるので、その取り扱い作業において面倒な点を有する。
【００１０】
また、図１３および図１４に示すケーブルクランプＸ２，Ｘ３では、貫通孔Ｓ１に対して挿入逆方向に移動不可の挿入爪２１０ｂ，３３０を介して固定されるために、取り付け面Ｓ側からの作業だけでケーブルクランプＸ２，Ｘ３を切り離すのは困難である。ケーブルクランプＸ２，Ｘ３を切り離すには、筐体ケースの外側となる取り付け面Ｓの反対側から挿入爪２１０ｂ，３３０を変形させつつ、取り付け面Ｓ側から力を加えて挿入爪２１０ｂ，３３０を引き抜かなければならなず、その取り扱い作業が容易ではない。
【００１１】
特に、図１４に示すように、筐体ケースが二重壁とされて取り付け面Ｓの外側に外装面Ｓ′がある場合、専用の工具などを用いて取り付け面Ｓと外装面Ｓ′との隙間から挿入爪２１０ｂ，３３０を変形させなければならず、取り付け面Ｓ側から無理にケーブルクランプＸ３を引っ張ると、挿入爪３３０が引きちぎれて取り付け面Ｓと外装面Ｓ′との隙間に取り残されるおそれがあった。
【００１２】
さらに、図１５に示すケーブルクランプＸ４では、筐体ケース内側の取り付け面Ｓ側においてネジＳｃを締めたり緩める作業を必要とすることから、取り付け面Ｓに対するケーブルＣやケーブルクランプＸ４の取り付け作業のみならず、それらの取り外し作業においても困難であることは明らかである。
【００１３】
そこで、本願発明は、上記した事情のもとで考え出されたものであって、取り付け面に対する装着を容易とするのみならず、その取り付け面からの切り離しを容易に行うことができる脱着容易性に優れたケーブルクランプを提供することをその課題とする。
【００１４】
【発明の開示】
上記課題を解決するため、本願発明では、次の技術的手段を講じている。
【００１５】
すなわち、本願発明により提供されるケーブルクランプは、１本あるいは２本以上のケーブルを束縛／解放するためのクランプバンド部と、このクランプバンド部の基端を一体的に支持する基台部とを備え、上記ケーブルの取り付け面に対して上記基台部を対面させつつ、その取り付け面に設けられた貫通孔を介して装着固定されるケーブルクランプであって、上記取り付け面に対する上記基台部の対面側には、上記貫通孔に差し込み、この貫通孔の一方縁に係合させる部分として、上記クランプバンド部の基端から連続しつつ斜めに延出する形状の斜挿部が一体形成されているとともに、上記基台部における上記斜挿部の基端周辺には、基台部の厚み方向に貫通する開口が設けられており、上記取り付け面に対する上記基台部の対面側には、上記貫通孔に差し込み、この貫通孔の他方縁に係合させる部分としての係合突起部が一体形成されていることを特徴としている。
【００１６】
上記クランプバンド部の先端には、係合爪が設けられているとともに、そのクランプバンド部を支持する基台部の支持面側には、上記係合爪を掛け止めるためのロック部が設けられているのが望ましい。このような各部は、所定の弾力性を有するプラスチック成形品の一部として構成される。このような構成によれば、クランプバンド部を弾性変形させながらその先端をロック部に差し込むことにより、クランプバンド部がケーブルに巻き付くようにリング状に湾曲変形され、ケーブルを束ねて取り付け面に添えた状態として確実に固定することができる。
【００１７】
さらに、上記取り付け面に対する上記基台部の対面側には、上記斜挿部に加え、上記貫通孔に差し込む部分としての係合突起部が一体形成されているので、取り付け面に対してケーブルクランプを確実に固定させることができる。
【００１８】
本願発明にかかるケーブルクランプでは、クランプバンド部と斜挿部とが基台部の開口を通じて表裏一体とされ、互いに他方の動きに反応して連れ合うように姿勢を変化させる。たとえば、クランプバンド部が弾性変形すると、それに連動して斜挿部の姿勢が変化する。このようにクランプバンド部と斜挿部との姿勢変化が連動するのは、これらの基端が連続しつつもそれらの動きの妨げとなる部分が開口されたかたちで可動スペースとして与えられるからである。つまり、クランプバンド部の一部を湾曲内側に押しやると、基台部の対面側に位置する斜挿部は、取り付け面の貫通孔に対して挿入しやすい傾斜姿勢となる。これにより、ケーブルクランプを取り付け面に対して装着固定する際には、クランプバンド部を弾性変形させながら斜挿部および係合突起部を貫通孔に差し込んだ後、クランプバンド部を元に戻せば貫通孔に斜挿部および係合突起部が引っかかる状態となって確実に固定される。逆に、ケーブルクランプを取り付け面から切り離す際には、上記と同様にクランプバンド部を弾性変形させることにより、斜挿部が貫通孔から抜け出やすい姿勢となって斜挿部および係合突起部が貫通孔から容易に引き抜かれる。したがって、本願発明によるケーブルクランプによれば、取り付け面側から貫通孔に対して抜き差しする作業を行うだけでよく、特に取り付け面からケーブルクランプを切り離す際には、傷や汚れなどを残さないのは言うに及ばず、工具などを用いる必要もないので、取り付け面からの切り離しを容易として脱着容易性に優れたものと言える。
【００１９】
本願発明にかかるケーブルクランプの好ましい実施の形態としては、上記斜挿部は、その複数が上記係合突起部の両隣に位置するように設けられ、あるいはその逆の形態として、上記係合突起部は、その複数が上記斜挿部の両隣に位置するように設けられている構成とすることができる。また、上記クランプバンド部の基端付近には、上記斜挿部と上記係合突起部との境界線上に沿ってスリットが設けられている構成とすることができる。
【００２０】
このような構成によれば、たとえば係合突起部を挟んで両隣に斜挿部が位置する場合、貫通孔に対して斜挿部および係合突起部が対称的に嵌め合わされるので、貫通孔に対する斜挿部および係合突起部の収まり具合が良く、ケーブルクランプを安定して取り付け面に固定しておくことができる。また、クランプバンド部の基端付近において斜挿部と係合突起部との境界線上に沿うようにスリットを設けることにより、斜挿部が姿勢変化する際においても、スリットを挟んで斜挿部に隣り合う係合突起部は、斜挿部とは独立して姿勢を変化させることなく、わずかにクランプバンド部を弾性変形させるだけで斜挿部のみの姿勢を適度に変化させることができる。
【００２１】
本願発明のその他の特徴および利点については、以下に行う発明の実施の形態の説明から、より明らかになるであろう。
【００２２】
【発明の実施の形態】
以下、本願発明の好ましい実施の形態について、図面を参照して具体的に説明する。
【００２３】
図１は、本願発明にかかるケーブルクランプの好ましい一実施形態について示した概略斜視図、図２は、図１のＩＩ−ＩＩ線に沿う断面を示した断面図、図３は、図２の一部を拡大して示した一部拡大断面図、図４は、図１のＩＩＩ−ＩＩＩ線に沿う断面を示した断面図、図５は、図１の符号ＩＶで示す方向から見た背面図、図６は、図１および図４のＶ−Ｖ線に沿う断面を示した断面図である。
【００２４】
これらの図に示すように、本願発明にかかるケーブルクランプＡは、コンピュータ本体やその周辺機器などの筐体ケース内における取り付け面Ｓに対し、１本あるいは２本以上のケーブルＣを束ねて取り付け固定するためのものであり、たとえば６６ナイロンなどの弾力性を有するプラスチック成形品からなる。ケーブルクランプＡは、ケーブルＣを束縛／解放するためのクランプバンド部１０、クランプバンド部１０の基端１０ｃを支持する基台部１１、クランプバンド部１０の先端を掛け止めるためのロック部１２、ならびに基台部１１を取り付け面Ｓに固定するための斜挿部１３および係合突起部１４を各部に有して概略構成されている。このような各部を有するケーブルクランプＡは、取り付け面Ｓに設けられた貫通孔Ｓ１を介して装着固定可能とされている。
【００２５】
クランプバンド部１０は、所定の厚み、幅寸法を有してリング状に形成されたものであって、その先端側には、後述するロック部１２に差し込んで移動不可の状態に掛け止められる係合爪１０ａや、係合爪１０ａを差し込む際の摘み部分１０ｂが設けられている。ここで、リング状とは、完全に閉じた形状のものを言うのではなく一部が開放自在とされた形状をいう。一方、クランプバンド部１０の基端１０ｃは、後述する基台部１１と一体化されているが、この基端１０ｃには、図１および図５によく示すように、湾曲方向に沿ってスリット１０ｄが形成されている。このスリット１０ｄは、後述する斜挿部１３と係合突起部１４との境界線上に沿って形成されている。このようなクランプバンド部１０は、湾曲変形した状態でケーブルＣの外側に巻き付くようなかたちとなる一方、先端の係合爪１０ａをロック部１２から外すと、開放された部分を通じてケーブルＣの取り付け・取り外しを自由としている。
【００２６】
基台部１１は、直接取り付け面Ｓに対面した状態で固定されるものであり、所定の厚み、幅寸法を有して平板状に形成される。この基台部１１の表面１１ａ側には、上記クランプバンド部１０が一体化されているとともに、クランプバンド部１０の基端１０ｃから所定の長さ離れた箇所に後述するロック部１２が設けられる。一方、取り付け面Ｓに対する基台部１１の対面側には、後述する斜挿部１３および係合突起部１４がそれぞれ独立して設けられており、特に基台部１１における斜挿部１３の基端周辺には、その斜挿部１３全体の変形自由度を高めるために、基台部１１の厚み方向に貫通する可動スペースとしての開口１１ｂが設けられている。つまり、上記クランプバンド部１０は、その基端１０ｃが開口１１ｂの一辺側に定着した状態にある一方、後述する斜挿部１３は、上記基端１０ｃから連続しつつも開口１１ｂの周縁に触れ合うことのないように延出形成されている。
【００２７】
ロック部１２は、クランプバンド部１０の先端における係合爪１０ａを掛け止める第１側面部１２ａと、その第１側面部１２ａとの間で上記係合爪１０ａの動きを規制する第２側面部１２ｂとを有している。つまり、係合爪１０ａは、第１および第２側面部１２ａ，１２ｂのすき間に差し込まれた状態で掛け止められる一方、その第１側面部１２ａの所定箇所を摘むようにしてすき間を拡げることで脱出可能とされる。
【００２８】
斜挿部１３は、取り付け面Ｓの貫通孔Ｓ１に差し込む部分として基台部１１の対面側に形成されたものであって、上記クランプバンド部１０の基端１０ｃから連続しつつ、上記開口１１ｂを通じて基台部１１の対面側から斜めに延出する形状を呈している。図３によく示すように、斜挿部１３の先端１３ａは、貫通孔Ｓ１の差し込み出口側で掛かり具合を良好とするために、若干部分が取り付け面Ｓに対して平行したかたちとされている。また、図５および図６に示すように、斜挿部１３は、クランプバンド部１０の横幅に対して略半分程度の幅寸法を有し、上記スリット１０ｄを境界として後述する係合突起部１４と隣り合う位置に形成されている。このような斜挿部１３は、再び図３を参照すると、先述したように基台部１１の開口１１ｂ内から斜めに延出したかたちとされ、しかもクランプバンド部１０の基端１０ｃをそのまま連続させた形状であることから、クランプバンド部１０の弾性変形に応じて変形しやすい動的特性を有する。また、斜挿部１３は、図１および図５によく示すように、スリット１０ｄを挟んで隣り合う係合突起部１４とは独立して形成されていることから、その係合突起部１４とは別にして変形可能とされる。
【００２９】
係合突起部１４は、上記斜挿部１３と同じく貫通孔Ｓ１に差し込む部分として基台部１１の対面側に突出形成されたものであるが、上記クランプバンド部１０とは関係なく基台部１１の対面側から垂直に突き出た形状を呈している。図３および図４によく示すように、係合突起部１４の先端１４ａは、貫通孔Ｓ１の差し込み出口側で掛かり具合を良好とするために、若干部分が取り付け面Ｓに対して平行したかたちとされ、しかも斜挿部１３とは反対側に向けて屈曲した形状とされている。また、図５および図６に示すように、係合突起部１４は、クランプバンド部１１の横幅に対して略半分程度の幅寸法を有し、上記スリット１０ｄを境界として斜挿部１３と隣り合う位置に形成されている。このような係合突起部１４は、再び図３および図４を参照すると、上記斜挿部１３とは異なりクランプバンド部１０の変形に応じることなく、ほとんどそのままの姿勢を保つものである。また、係合突起部１４は、図１および図５によく示すように、スリット１０ｄを挟んで隣り合う斜挿部１３とは独立して形成されていることから、斜挿部１４の変形に応じることなくほとんどそのままの姿勢を保つ。
【００３０】
つまり、ケーブルクランプＡを取り付け面Ｓに対して装着固定する際には、斜挿部１３および係合突起部１４を貫通孔Ｓ１に差し込み、それらの先端１３ａ，１４ａを貫通孔Ｓ１の差し込み出口側で互いに相反するように掛け止める。これにより、ケーブルクランプＡは、斜挿部１３および係合突起部１４を介して確実に取り付け面Ｓに対して固定される。なお、貫通孔Ｓ１としては、斜挿部１３および係合突起部１４を合わせた幅寸法以上の開口幅を有するものが好ましいが、斜挿部１３および係合突起部１４ごとに個別に対応するように貫通形成されたものであっても良い。
【００３１】
次に、ケーブルクランプＡを用いてケーブルＣを取り付ける場合の作用、動作、ならびにケーブルクランプＡを取り付け面Ｓから切り離す際の作用、動作について説明する。
【００３２】
図７は、ケーブルクランプＡにケーブルＣを取り付ける際の作用、動作を説明するために示した断面図である。なお、ケーブルクランプＡは、取り付け面Ｓに固定された状態にあるとする。この図に示すように、ケーブルＣをケーブルクランプＡに取り付ける際には、クランプバンド部１０の係合爪１０ａがロック部１２から外された状態で、クランプバンド部１０の内側に１本あるいは複数のケーブルＣを配置する。その後、クランプバンド部１０は、その先端側が弾性変形させられるとともに、係合爪１０ａがロック部１２に差し込まれることにより、その係合爪１０ａがロック部１２に掛け止められた図２の状態となってケーブルＣの取り付けが完了する。この際、クランプバンド部１０の弾性変形する主な部分は、係合爪１０ａの設けられた先端側とされ、クランプバンド部１０の基端１０ｃが大きく変形することはない。したがって、クランプバンド部１０の変形に応じて連動する斜挿部１３においても大きな姿勢変化が見られず、そのままの傾斜姿勢を保つことから、ケーブルクランプＡが取り付け面Ｓから外れることはない。
【００３３】
さらに、図８は、ケーブルクランプＡを取り付け面Ｓから切り離す際の作用、動作を説明するために示した断面図、図９は、図８の一部を拡大して示した一部拡大断面図であって、これらの図に示すように、ケーブルクランプＡを取り付け面Ｓから切り離す際には、クランプバンド部１０の基端１０ｃ側に近い湾曲部分が図８中の矢印で示すように押し曲げられ、クランプバンド部１０が図８の二点鎖線で示すように弾性変形される。
【００３４】
すると、図９によく示すように、貫通孔Ｓ１に差し込まれて掛け止められた状態にある斜挿部１３は、クランプバンド部１０に連動して図中の二点鎖線で示すような姿勢に変化する。つまり、斜挿部１３は、符号Ｆで示す支点付近を中心として回動するようなかたちで弾性変形し、その先端１３ａが貫通孔Ｓ１から脱出可能な位置まで変移する。このように、斜挿部１３がクランプバンド部１０に連動して姿勢を変化させるのは、先述したように、斜挿部１３の基端付近に開口１１ｂが設けられており、この開口１１ｂを可動スペースとして斜挿部１３とクランプバンド部１０とが一体的に繋がれているからである。一方、係合突起部１４は、基台部１１に可動スペースを設けることなく一体形成されていることから、クランプバンド部１０が弾性変形しても大して変形することはない。
【００３５】
さらに、斜挿部１３の変形状態を保ちながら、クランプバンド部１０を押し曲げる方向に沿ってケーブルクランプＡ全体をわずかにずらすと、係合突起部１４の先端１４ａが貫通孔Ｓ１から脱出可能な位置まで変移する。そして、そのままケーブルクランプＡ全体を取り付け面Ｓの上方へと引き上げると、斜挿部１３および係合突起部１４が貫通孔Ｓ１から抜け出てケーブルクランプＡ全体が取り付け面Ｓから切り離される。要するに、ケーブルクランプＡを取り付け面Ｓから切り離す際には、取り付け面Ｓ側からケーブルクランプＡを取り扱うだけで良い。具体的には、取り付け面Ｓをコンピュータ本体などの筐体ケースの内面とする場合、筐体ケースの外側から何ら切り離し作業を行う必要はなく、もちろん専用の工具などを用いる必要もなく、筐体ケースの内部からケーブルクランプＡを無理なく簡単に取り外すことができる。
【００３６】
なお、ケーブルクランプＡを取り付け面Ｓに対して装着する際には、上記の切り離し作業とは逆の手順を行えば良い。
【００３７】
したがって、上記構成、作用動作を有するケーブルクランプＡによれば、その脱着の際には、取り付け面Ｓ側から貫通孔Ｓ１に対して抜き差しする作業を行うだけでよく、特に取り付け面ＳからケーブルクランプＡを切り離す際には、傷や汚れなどを残さないのは言うに及ばず、専用の工具などを用いる必要は全くない。そのため、このケーブルクランプＡでは、取り付け面Ｓからの切り離し作業を容易に行うことができ、脱着容易性に関して従来例に比べて非常に使いやすいものと言えよう。
【００３８】
たとえば、筐体ケースが二重壁とされて取り付け面Ｓの外側に図示しない外装面がある場合でも、取り付け面Ｓ側からケーブルクランプＡを簡単に取り付け・取り外しを行うことができる。特にケーブルクランプＡを取り付け面Ｓから切り離す際には、斜挿部１３および係合突起部１４が引きちぎれることもなく、取り付け面Ｓと外装面との隙間に何ら取り残すおそれもない。
【００３９】
さらに、他の実施形態にかかるケーブルクランプＢについて説明する。
【００４０】
図１０は、本願発明にかかるケーブルクランプの他の実施形態を示した背面図（図５に対応）、図１１は、図１０に示すケーブルクランプの断面を示した断面図（図６に対応）であって、これらの図に示すケーブルクランプＢは、上記の構成を有するケーブルクランプＡとほぼ同様の構成を有するものであるが、係合突起部２４の両隣に斜挿部２３，２３が設けられた点に特徴を有する。なお、その他の構成については、先の実施形態と同様であることから、２０番台の符号を付してその説明を省略する。
【００４１】
このケーブルクランプＢでは、係合突起部２４の両隣に斜挿部２３，２３が設けられ、それに対応してクランプバンド部２０の基端２０ｃ付近には、２つのスリット２０ｄが設けられている。つまり、斜挿部２３，２３および係合突起部２４は、貫通孔Ｓ１に対して対称的に配置された状態にあり、斜挿部２３，２３の先端２３ａ，２３ａと係合突起部２４の先端２４とが互いに相反する方向に向けて３箇所で貫通孔Ｓ１に掛け止められる。
【００４２】
このようなケーブルクランプＢによれば、斜挿部２３，２３および係合突起部２４が貫通孔Ｓ１に差し込まれた状態で対称的な３箇所の位置において掛け止められるので、先の実施形態に比べて貫通孔Ｓ１に対する斜挿部２３，２３および係合突起部２４の収まり具合が良く、ケーブルクランプＡ全体が安定して取り付け面Ｓに固定される。
【００４３】
なお、上記他の実施形態の変形例として、１つの斜挿部の両隣に２つの係合突起部を設けても良く、さらには、斜挿部の複数を係合突起部の複数に対して交互に並べたかたちとしても良い。
【００４４】
もちろん、本願発明は、上述の各実施形態に限定されるものではない。
【００４５】
たとえば、ケーブルクランプを装着固定する対象としては、コンピュータ本体やその周辺機器などの筐体ケースの内側に限らず、あらゆる物を対象とすることができ、ケースの内側に限ったものではない。各部の形状寸法、材質などは、適宜に設計変更することができる。
【００４６】
また、クランプバンド部の先端を掛け止めるロック部は、図に示す形態に限定されず、クランプバンド部の先端を固定できる形状であれば、永久に固定するような形態であっても良い。
【００４７】
さらに、クランプバンド部の内側においては、周面一部に開口を有する円筒型のフェライトを一体的に設け、そのフェライトの中空部にケーブルを配置するようにしても良い。このような構成によれば、ケーブルクランプにケーブルを取り付けた状態でノイズフィルタの効果が発揮される。
【図面の簡単な説明】
【図１】本願発明にかかるケーブルクランプの好ましい一実施形態について示した概略斜視図である。
【図２】図１のＩＩ−ＩＩ線に沿う断面を示した断面図である。
【図３】図２の一部を拡大して示した一部拡大断面図である。
【図４】図１のＩＩＩ−ＩＩＩ線に沿う断面を示した断面図である。
【図５】図１の符号ＩＶで示す方向から見た背面図である。
【図６】図１および図４のＶ−Ｖ線に沿う断面を示した断面図である。
【図７】ケーブルクランプにケーブルを取り付ける際の作用、動作を説明するために示した断面図である。
【図８】ケーブルクランプを取り付け面から切り離す際の作用、動作を説明するために示した断面図である。
【図９】図８の一部を拡大して示した一部拡大断面図である。
【図１０】本願発明にかかるケーブルクランプの他の実施形態を示した背面図である。
【図１１】図１０に示すケーブルクランプの断面を示した断面図である。
【図１２】従来例にかかる粘着固定方式のケーブルクランプを示した側面図である。
【図１３】従来例にかかる圧入固定方式のケーブルクランプを示した側面図である。
【図１４】従来例にかかるはめ込み固定方式のケーブルクランプを示した側面図である。
【図１５】従来例にかかるネジ止め固定方式のケーブルクランプを示した側面図である。
【符号の説明】
１０    クランプバンド部
１０ａ  係合爪
１０ｃ  クランプバンド部の基端
１１    基台部
１１ｂ  開口
１２    ロック部
１３    斜挿部
１４    係合突起部
Ｓ      取り付け面
Ｓ１    貫通孔
Ａ      ケーブルクランプ
Ｃ      ケーブル
【図１】
0003872240.tif 000002
【図２】
0003872240.tif 000003
【図３】
0003872240.tif 000004
【図４】
0003872240.tif 000005
【図５】
0003872240.tif 000006
【図６】
0003872240.tif 000007
【図７】
0003872240.tif 000008
【図８】
0003872240.tif 000009
【図９】
0003872240.tif 000010
【図１０】
0003872240.tif 000011
【図１１】
0003872240.tif 000012
【図１２】
0003872240.tif 000013
【図１３】
0003872240.tif 000014
【図１４】
0003872240.tif 000015
【図１５】
0003872240.tif 000016